(57)【要約】【課題】  移動局から無線局に送信される制御情報を削減でき、上り無線リソースのトラフィックを軽減でき、移動通信システム全体への干渉量を抑えることができる移動通信システム、これに用いて好適な無線局、移動局及び下り送信電力制御方法を提供する【解決手段】  基地局３０ａから複数の移動局（４０ａ乃至４０ｃ）に所定の下り送信電力で同一情報が送信される移動通信システムにおいて、基地局３０ａが、当該基地局３０ａの配下に位置する複数の移動局（４０ａ乃至４０ｃ）の一部により送信された制御情報に基づき、所定の下り送信電力を制御する送信電力制御手段を具備する。【選択図】    図１
2007300681.tif 000002
【特許請求の範囲】
【請求項１】
無線局から複数の移動局に所定の下り送信電力で同一情報が送信される移動通信システムであって、
前記無線局は、当該無線局の配下に位置する前記移動局の一部により送信された制御情報に基づき、前記所定の下り送信電力を制御する送信電力制御手段を具備することを特徴とする移動通信システム。
【請求項２】
無線局から複数の移動局に所定の下り送信電力で同一情報が送信される移動通信システムであって、
前記無線局は、
前記移動局により送信された制御情報に基づき、前記所定の下り送信電力を制御する送信電力制御手段を具備し、
前記移動局は、
前記制御情報を前記無線局に送信するか否か判断する判断手段と、
前記判断手段による判断結果に基づき、前記無線局により送信された前記同一情報の受信品質によって生成された前記制御情報を前記無線局に送信する送信手段とを具備することを特徴とする移動通信システム。
【請求項３】
無線局から複数の移動局に所定の下り送信電力で同一情報が送信される移動通信システムであって、
前記無線局は、
受信品質のしきい値を設定するしきい値設定手段と、
前記しきい値設定手段により設定された前記受信品質のしきい値と前記同一情報とを前記移動局に送信する送信手段と、
前記移動局により送信された制御情報に基づき、前記所定の下り送信電力を制御する送信電力制御手段とを具備し、
前記移動局は、
前記無線局により送信された前記同一情報の前記受信品質を算出する受信品質算出手段と、
前記受信品質算出手段により算出された前記受信品質と前記無線局により送信された前記受信品質のしきい値とを比較し、前記制御情報を前記無線局に送信するか否か判断する判断手段と、
前記判断手段による判断結果に基づき、前記制御情報を前記無線局に送信する送信手段とを具備することを特徴とする移動通信システム。
【請求項４】
無線局から複数の移動局に所定の下り送信電力で同一情報が送信される移動通信システムであって、
前記無線局は、
どの移動局に制御情報の送信要求を送信するか選択する移動局選択手段と、
前記移動局選択手段により選択された前記移動局に前記送信要求を送信する送信要求送信手段と、
前記移動局選択手段により選択された前記移動局によって送信された前記制御情報に基づき、前記所定の下り送信電力を制御する送信電力制御手段とを具備し、
前記移動局は、
前記無線局により送信された前記送信要求に基づき、前記制御情報を前記無線局に送信する送信手段とを具備することを特徴とする移動通信システム。
【請求項５】
前記送信電力制御手段は、前記移動局により送信された複数の前記制御情報の中から、所定の基準で選択された前記制御情報に基づき、前記所定の下り送信電力を制御することを特徴とする請求項１乃至請求項４のいずれかに記載の移動通信システム。
【請求項６】
前記送信電力制御手段は、前記移動局により送信された全ての前記制御情報が前記所定の下り送信電力を下げることを指示する前記制御情報である場合に、前記所定の下り送信電力を下げることを特徴とする請求項１乃至請求項４のいずれかに記載の移動通信システム。
【請求項７】
前記送信電力制御手段は、前記移動局により送信された複数の前記制御情報の中に、前記所定の下り送信電力を上げることを指示する前記制御情報が１つ以上含まれる場合に、前記所定の下り送信電力を上げることを特徴とする請求項１乃至請求項４のいずれかに記載の移動通信システム。
【請求項８】
前記送信電力制御手段は、前記移動局から送信された複数の前記制御情報の中に、前記所定の下り送信電力を上げることを指示する前記制御情報、又は、前記所定の下り送信電力を下げることを指示する前記制御情報が、いくつ含まれているかカウントし、カウント結果に基づき前記所定の下り送信電力を制御することを特徴とする請求項１乃至請求項４のいずれかに記載の移動通信システム。
【請求項９】
無線局から複数の移動局に所定の下り送信電力で同一情報が送信される際に、当該所定の下り送信電力を制御する下り送信電力制御方法であって、
前記移動局が、前記制御情報を前記無線局に送信するか否か判断するステップＡと、
前記移動局が、前記ステップＡにおける判断結果に基づき、前記無線局により送信された前記同一情報の受信品質によって生成された前記制御情報を前記無線局に送信するステップＢと、
前記無線局が、前記移動局により送信された前記制御情報に基づき、前記所定の下り送信電力を制御するステップＣとを具備することを特徴とする下り送信電力制御方法。
【請求項１０】
無線局から複数の移動局に所定の下り送信電力で同一情報が送信される際に、当該所定の下り送信電力を制御する下り送信電力制御方法であって、
前記無線局が、受信品質のしきい値を設定するステップＤと、
前記無線局が、前記ステップＤにおいて設定された前記受信品質のしきい値と前記同一情報とを前記移動局に送信するステップＥと、
前記移動局が、前記無線局により送信された前記同一情報の前記受信品質を算出するステップＦと、
前記移動局が、前記ステップＦにおいて算出された前記受信品質と前記無線局により送信された前記受信品質のしきい値とを比較し、前記制御情報を前記無線局に送信するか否か判断するステップＧと、
前記移動局が、前記ステップＧにおける判断結果に基づき、前記制御情報を前記無線局に送信するステップＨと、
前記無線局が、前記移動局により送信された前記制御情報に基づき、前記所定の下り送信電力を制御するステップＩとを具備することを特徴とする下り送信電力制御方法。
【請求項１１】
無線局から複数の移動局に所定の下り送信電力で同一情報が送信される際に、当該所定の下り送信電力を制御する下り送信電力制御方法であって、
前記無線局が、どの移動局に制御情報の送信要求を送信するか選択するステップＪと、
前記無線局が、前記ステップＪにおいて選択された前記移動局に前記送信要求を送信するステップＫと、
前記移動局が、前記無線局により送信された前記送信要求に基づき、前記制御情報を前記無線局に送信するステップＬと、
前記無線局が、前記移動局により送信された前記制御情報に基づき、前記所定の下り送信電力を制御するステップＭとを具備することを特徴とする下り送信電力制御方法。
【請求項１２】
所定の下り送信電力で無線局から送信された同一情報を受信する移動局であって、
制御情報を前記無線局に送信するか否か判断する判断手段と、
前記判断手段による判断結果に基づき、前記無線局により送信された前記同一情報の受信品質を算出する受信品質算出手段と、
前記受信品質算出手段により算出された前記受信品質に基づいて生成された前記制御情報を前記無線局に送信する送信手段とを具備することを特徴とする移動局。
【請求項１３】
所定の下り送信電力で無線局から送信された同一情報を受信する移動局であって、
前記無線局により送信された前記同一情報の前記受信品質を算出する受信品質算出手段と、
前記受信品質算出手段により算出された前記受信品質と前記無線局により送信された受信品質のしきい値とを比較し、前記制御情報を前記無線局に送信するか否か判断する判断手段と、
前記判断手段による判断結果に基づき、前記制御情報を前記無線局に送信する送信手段とを具備することを特徴とする移動局。
【請求項１４】
所定の下り送信電力で複数の移動局に同一情報を送信する無線局であって、
どの移動局に制御情報の送信要求を送信するか選択する移動局選択手段と、
前記移動局選択手段により選択された前記移動局によって送信された前記制御情報に基づき、前記所定の下り送信電力を制御する送信電力制御手段とを具備することを特徴とする無線局。
【発明の詳細な説明】
【技術分野】
【０００１】
本発明は、無線局から複数の移動局に同一情報が送信される移動通信システム、これに用いて好適な無線局、移動局及び下り送信電力制御方法に関する。
【背景技術】
【０００２】
従来、基地局や無線制御装置などの無線局から複数の移動局に同一情報が一斉に送信される技術としては、ブロードキャスト（Ｂｒｏａｄｃａｓｔ）やマルチキャスト（Ｍｕｌｔｉｃａｓｔ）などの技術があった。
【０００３】
ブロードキャストとは、図８に示すように、１つ又は複数の基地局（１１乃至１７）がそのエリア内に位置するすべての移動局（１０１乃至１１２）に同一情報を一斉に送信する技術であり（例えば、非特許文献１）、マルチキャストとは、図９に示すように、１つ又は複数の基地局（１１乃至１７）がそのエリア内に位置する特定グループの移動局（１０１、１０３、１０５、１０６、１０８、１０９、１１０）に同一情報を一斉に送信する技術である（例えば、非特許文献２）。
【０００４】
また、無線局から複数の移動局に同一情報が所定の下り送信電力で送信される際に、従来の移動通信システムにおいて、当該所定の下り送信電力を無線局が制御する技術としては、移動局により算出された受信品質（受信電力、同一情報の受信電力と干渉電力との比率（ＳＩＲ）、同一情報の誤りビット率など）に基づき、無線局が所定の下り送信電力を制御する技術があった（例えば、特許文献１）
【特許文献１】特開２００１−２９２０９６号公報
【非特許文献１】3rd Generation Partnership Project Technical Specification Group Terminals 著, 23.041 Technical realization of Cell Broadcast Service (CBS), 2000年10月
【非特許文献２】3rd Generation Partnership Project Technical Specification Group Radio Access Network 著, 25.324 Broadcast/Multicast Control BMC, 2000年12月
【発明の開示】
【発明が解決しようとする課題】
【０００５】
しかしながら、従来の移動通信システムにおいて、基地局や無線制御装置などの無線局が所定の下り送信電力を制御する場合には、無線局は、制御情報（受信品質など）の送信を、配下に位置する全ての移動局に要求していた。従って、移動局が無線局の近くに位置するため、所定の下り送信電力を制御する必要がない場合などであっても、移動局は制御情報を無線局に送信していた。このため、所定の下り送信電力の制御に寄与しない制御情報が増え、上り無線リソースのトラフィックが増大するという問題があった。
【０００６】
そこで、本発明は、以上の点に鑑みてなされたものであり、移動局から無線局に送信される制御情報を削減でき、上り無線リソースのトラフィックを軽減でき、移動通信システム全体への干渉量を抑えることができる移動通信システム、これに用いて好適な無線局、移動局及び下り送信電力制御方法を提供することを目的とする。
【課題を解決するための手段】
【０００７】
本発明の第１の特徴は、無線局から複数の移動局に所定の下り送信電力で同一情報が送信される移動通信システムにおいて、無線局が、当該無線局の配下に位置する移動局の一部により送信された制御情報に基づき、所定の下り送信電力を制御する送信電力制御手段を具備することを要旨とする。
【０００８】
かかる特徴によれば、無線局が、当該無線局の配下に位置する複数の移動局の一部により送信された制御情報に基づき、所定の下り送信電力を制御するため、無線局の配下に位置する全ての移動局により制御情報が送信される場合に比べ、移動局から無線局に送信される制御情報を削減でき、上り無線リソースのトラフィックを軽減でき、移動通信システム全体への干渉量を抑えることができる。
【０００９】
本発明の第２の特徴は、無線局から複数の移動局に所定の下り送信電力で同一情報が送信される移動通信システムにおいて、無線局が、移動局により送信された制御情報に基づき、所定の下り送信電力を制御する送信電力制御手段を具備し、移動局が、制御情報を無線局に送信するか否か判断する判断手段と、判断手段による判断結果に基づき、無線局により送信された同一情報の受信品質によって生成された制御情報を無線局に送信する送信手段とを具備することを要旨とする。
【００１０】
かかる特徴によれば、制御情報を無線局に送信すると移動局が判断した場合にのみ、制御情報が無線局に送信されるため、移動局から無線局に送信される制御情報を削減でき、無線上りリソースのトラフィックを軽減でき、移動通信システム全体への干渉量を抑えることができる。
【００１１】
本発明の第３の特徴は、無線局から複数の移動局に所定の下り送信電力で同一情報が送信される移動通信システムにおいて、無線局が、受信品質のしきい値を設定するしきい値設定手段と、しきい値設定手段により設定された受信品質のしきい値と同一情報とを移動局に送信する送信手段と、移動局により送信された制御情報に基づき、所定の下り送信電力を制御する送信電力制御手段とを具備し、移動局が、無線局により送信された同一情報の受信品質を算出する受信品質算出手段と、受信品質算出手段により算出された受信品質と無線局により送信された受信品質のしきい値とを比較し、制御情報を無線局に送信するか否か判断する判断手段と、判断手段による判断結果に基づき、制御情報を無線局に送信する送信手段とを具備することを要旨とする。
【００１２】
かかる特徴によれば、移動局により算出された同一情報の受信品質が受信品質のしきい値を超えた場合には、制御情報が無線局に送信されないため、所定の下り送信電力の制御に寄与しない制御情報を削減でき、無線上りリソースのトラフィックを軽減でき、移動通信システム全体への干渉量を抑えることができる。
【００１３】
本発明の第４の特徴は、無線局から複数の移動局に所定の下り送信電力で同一情報が送信される移動通信システムにおいて、無線局が、どの移動局に制御情報の送信要求を送信するか選択する移動局選択手段と、移動局選択手段により選択された移動局に送信要求を送信する送信要求送信手段と、移動局選択手段により選択された移動局によって送信された制御情報に基づき、所定の下り送信電力を制御する送信電力制御手段とを具備し、移動局が、無線局により送信された送信要求に基づき、制御情報を無線局に送信する送信手段とを具備することを要旨とする。
【００１４】
かかる特徴によれば、当該無線局により選択された移動局によって送信された制御情報のみに基づき、所定の下り送信電力が制御されるため、移動局から無線局に送信される制御情報を削減でき、無線上りリソースのトラフィックを軽減でき、移動通信システム全体への干渉量を抑えることができる。
【００１５】
本発明の第５の特徴は、本発明の第１乃至第４の特徴において、送信電力制御手段が、移動局により送信された複数の制御情報の中から、所定の基準で選択された制御情報に基づき、所定の下り送信電力を制御することを要旨とする。
【００１６】
本発明の第６の特徴は、本発明の第１乃至第４の特徴において、送信電力制御手段が、移動局により送信された全ての制御情報が所定の下り送信電力を下げることを指示する制御情報である場合に、所定の下り送信電力を下げることを要旨とする。
【００１７】
本発明の第７の特徴は、本発明の第１乃至第４の特徴において、送信電力制御手段が、移動局により送信された複数の制御情報の中に、所定の下り送信電力を上げることを指示する制御情報が１つ以上含まれる場合に、所定の下り送信電力を上げることを要旨とする。
【００１８】
本発明の第８の特徴は、本発明の第１乃至第４の特徴において、送信電力制御手段が、移動局から送信された複数の制御情報の中に、所定の下り送信電力を上げることを指示する制御情報、又は、所定の下り送信電力を下げることを指示する制御情報が、いくつ含まれているかカウントし、カウント結果に基づき所定の下り送信電力を制御することを要旨とする。
【００１９】
本発明の第９の特徴は、無線局から複数の移動局に所定の下り送信電力で同一情報が送信される際に、当該所定の下り送信電力を制御する下り送信電力制御方法には、制御情報を無線局に送信するか否か移動局が判断するステップＡと、ステップＡにおける判断結果に基づき、無線局により送信された同一情報の受信品質によって生成された制御情報を移動局が無線局に送信するステップＢと、移動局により送信された制御情報に基づき、所定の下り送信電力を無線局が制御するステップＣとが具備されることを要旨とする。
【００２０】
本発明の第１０の特徴は、無線局から複数の移動局に所定の下り送信電力で同一情報が送信される際に、当該所定の下り送信電力を制御する下り送信電力制御方法には、受信品質のしきい値を無線局が設定するステップＤと、ステップＤにおいて設定された受信品質のしきい値と同一情報とを無線局が移動局に送信するステップＥと、無線局により送信された同一情報の受信品質を移動局が算出するステップＦと、移動局が、ステップＦにおいて算出された受信品質と無線局により送信された受信品質のしきい値とを比較し、制御情報を無線局に送信するか否か判断するステップＧと、ステップＧにおける判断結果に基づき、制御情報を移動局が無線局に送信するステップＨと、移動局により送信された制御情報に基づき、所定の下り送信電力を無線局が制御するステップＩとが具備されることを要旨とする。
【００２１】
本発明の第１１の特徴は、無線局から複数の移動局に所定の下り送信電力で同一情報が送信される際に、当該所定の下り送信電力を制御する下り送信電力制御方法には、どの移動局に制御情報の送信要求を無線局が送信するか選択するステップＪと、ステップＪにおいて選択された移動局に送信要求を無線局が送信するステップＫと、無線局により送信された送信要求に基づき、制御情報を無線局に移動局が送信するステップＬと、移動局により送信された制御情報に基づき、所定の下り送信電力を無線局が制御するステップＭとが具備されることを要旨とする。
【００２２】
本発明の第１２の特徴は、所定の下り送信電力で無線局から送信された同一情報を受信する移動局が、所定の下り送信電力を制御する制御情報を無線局に送信するか否か判断する判断手段と、判断手段による判断結果に基づき、無線局により送信された同一情報の受信品質を算出する受信品質算出手段と、受信品質算出手段により算出された受信品質に基づいて生成された制御情報を無線局に送信する送信手段とを具備することを要旨とする。
【００２３】
本発明の第１３の特徴は、所定の下り送信電力で無線局から送信された同一情報を受信する移動局が、無線局により送信された同一情報の受信品質を算出する受信品質算出手段と、受信品質算出手段により算出された受信品質と無線局により送信された受信品質のしきい値とを比較し、制御情報を無線局に送信するか否か判断する判断手段と、判断手段による判断結果に基づき、制御情報を無線局に送信する送信手段とを具備することを要旨とする。
【００２４】
本発明の第１４の特徴は、所定の下り送信電力で複数の移動局に同一情報を送信する無線局が、どの移動局に制御情報の送信要求を送信するか選択する移動局選択手段と、移動局選択手段により選択された移動局によって送信された制御情報に基づき、所定の下り送信電力を制御する送信電力制御手段とを具備することを要旨とする。
【発明の効果】
【００２５】
本発明に係る移動通信システム、これに用いて好適な無線局、移動局及び下り送信電力制御方法によれば、無線局が、当該無線局の配下に位置する複数の移動局の一部から制御情報を受信するため、移動局から無線局に送信される制御情報を削減でき、上り無線リソースのトラフィックを軽減でき、移動通信システム全体への干渉量を抑えることができる。
【発明を実施するための最良の形態】
【００２６】
（本実施形態における移動通信システムの構成）
以下において、本実施形態における移動通信システムの構成について図面を参照しながら説明する。図１は、本実施形態における移動通信システムの全体構成を示す図である。図１に示すように、本実施形態における移動通信システムは、無線制御装置２０と、複数の基地局（３０ａ乃至３０ｄ）と、複数の移動局（４０ａ乃至４０ｊ）とを具備する。
【００２７】
無線制御装置２０は、複数の基地局（３０ａ乃至３０ｄ）を経由して、複数の移動局（４０ａ乃至４０ｊ）に同一情報を送信する（例えば、マルチキャスト通信、ブロードバンド通信）。なお、本実施形態において、無線制御装置２０と基地局（３０ａ乃至３０ｄ）とは、無線局の具体例である。
【００２８】
また、基地局（３０ａ乃至３０ｄ）の機能は同一であり、移動局（４０ａ乃至４０ｊ）の機能も同一であるため、以下の説明においては、基地局３０ａと移動局４０ａとを例に説明する。なお、無線制御装置２０は、基地局３０ａの機能を具備していてもよい。
【００２９】
図２は、本実施形態における移動通信システムに用いて好適な基地局３０ａ及び移動局４０ａの構成を示すブロック図である。図２に示すように、基地局３０ａは、送受信部３１と送信電力制御部３２とを具備する。
【００３０】
送受信部３１は、所定の下り送信電力で同一情報を移動局４０ａに送信し、移動局４０ａにより送信された制御情報を受信するものである。また、送信電力制御部３２は、移動局４０ａにより送信された制御情報に基づき、所定の下り送信電力を制御する送信電力制御手段である。
【００３１】
具体的には、送信電力制御部３２は、複数の移動局により送信された複数の制御情報の中から、所定の基準で選択された制御情報に基づき、所定の下り送信電力を制御する。ここで、所定の基準で選択された制御情報とは、例えば、所定の下り送信電力を１番大きな下り送信電力に制御することを指示する制御情報、又は、所定の下り送信電力を２番目に大きな下り送信電力に制御することを指示する制御情報である。
【００３２】
例えば、複数の移動局により送信された制御情報が、所定の下り送信電力を１０ｄＢｍ上げることを指示する「制御情報ａ」、５ｄＢｍ上げることを指示する「制御情報ｂ」、３ｄＢｍ上げることを指示する「制御情報ｃ」であって、送信電力制御部３２が、所定の下り送信電力を１番大きな下り送信電力に制御することを指示する制御情報に基づき、所定の下り送信電力を制御する場合には、送信電力制御部３２は、１番目に大きな「制御情報ａ」に基づき所定の下り送信電力を制御する。なお、送信電力制御部３２が、所定の下り送信電力を２番目に大きな下り送信電力に制御することを指示する制御情報に基づき、所定の下り送信電力を制御する場合には、送信電力制御部３２は、２番目に大きな「制御情報ｂ」に基づき所定の下り送信電力を制御する。
【００３３】
また、送信電力制御部３２は、複数の移動局により送信された全ての制御情報が、所定の下り送信電力を下げることを指示する制御情報である場合には、所定の下り送信電力を下げるように制御してもよい。
【００３４】
例えば、複数の移動局により送信された制御情報が、所定の下り送信電力を１０ｄＢｍ下げることを指示する「制御情報ｄ」、５ｄＢｍ下げることを指示する「制御情報ｅ」、３ｄＢｍ下げることを指示する「制御情報ｆ」である場合に、送信電力制御部３２は、下り送信電力を所定電力分（１ｄＢｍ、３ｄＢｍなど）下げる。
【００３５】
さらに、送信電力制御部３２は、複数の移動局により送信された複数の制御情報の中に、所定の下り送信電力を上げることを指示する制御情報が１つ以上含まれる場合には、所定の下り送信電力を上げるように制御してもよい。
【００３６】
例えば、複数の移動局により送信された複数の制御情報が、所定の下り送信電力を１０ｄＢｍ下げることを指示する「制御情報ｇ」、５ｄＢｍ下げることを指示する「制御情報ｈ」、３ｄＢｍ上げることを指示する「制御情報ｉ」である場合に、送信電力制御部３２は、下り送信電力を所定電力分（１ｄＢｍ、３ｄＢｍなど）上げる。
【００３７】
また、送信電力制御部３２は、複数の移動局により送信された複数の制御情報の中に、所定の下り送信電力を上げることを指示する制御情報、又は、前記所定の下り送信電力を下げることを指示する制御情報が、いくつ含まれているかカウントし、カウント結果に基づいて所定の下り送信電力を制御してもよい。
【００３８】
例えば、送信電力制御部３２は、所定の下り送信電力を上げることを指示する制御情報が、複数の移動局により送信された制御情報に３つ以上含まれている場合には、下り送信電力を所定電力分（１ｄＢｍ、３ｄＢｍなど）上げ、所定の下り送信電力を下げることを指示する制御情報が２つ以上含まれている場合には、下り送信電力を所定電力分（１ｄＢｍ、３ｄＢｍなど）下げる。
【００３９】
移動局４０ａは、送受信部４１と、判断部４２と、受信品質算出部４３と、制御情報生成部４４とを具備する。
【００４０】
送受信部４１は、移動局４０ａにより送信された同一情報を受信し、基地局３０ａに制御情報を送信するものである。
【００４１】
判断部４２は、制御情報を基地局３０ａに送信するか否か判断する判断手段である。具体的には、判断部４２は、送受信部４１により受信された複数の同一情報について、所定の頻度（２回に１回、３回に１回など）で制御情報を基地局３０ａに送信すると判断する。また、判断部４２は、制御情報を基地局３０ａに送信するか否かをランダムに決定してもよい。
【００４２】
受信品質算出部４３は、判断部４２による判断結果に基づき、送受信部４１により受信された同一情報の受信品質を算出する受信品質算出手段である。なお、受信品質算出部４３は、送受信部４１により受信された同一情報の受信品質を常時算出してもよい。ここで、受信品質とは、受信電力、同一情報の受信電力と干渉電力との比率（ＳＩＲ）、同一情報の誤りビット率などである。
【００４３】
制御情報生成部４４は、受信品質算出部４３により算出された受信品質に基づき、制御情報を生成するものである。具体的に制御情報とは、下り送信電力を１０ｄＢｍ上げる、下り送信電力を５ｄＢｍ下げるといった情報、又は、受信品質算出部４３により算出された受信品質と所望の受信品質との差分などである。なお、基地局３０ａが、受信品質算出部４３により算出された受信品質に基づき下り送信電力を制御できる場合には、制御情報は、受信品質そのものであってもよい。
【００４４】
なお、本実施形態において、送受信部４１と制御情報生成部４４とは、送信手段を構成する。
【００４５】
（本実施形態における移動通信システムの動作）
以下において、本実施形態における移動通信システムに用いて好適な基地局及び移動局の動作について、図面を参照しながら説明する。図３は、本実施形態における移動通信システムの動作を示す図である。
【００４６】
図３に示すように、ステップ１１ａにおいて、基地局３０ａは、同一情報を移動局４０ａに送信し、ステップ１１ｂにおいて、移動局４０ａは、同一情報を基地局３０ａから受信する。
【００４７】
ステップ１２において、移動局４０ａは、制御情報を基地局３０ａに送信するか否か判断する。具体的には、移動局４０ａは、基地局３０ａにより受信された複数の同一情報について、所定の頻度（２回に１回、３回に１回など）で制御情報を基地局３０ａに送信すると判断する。また、移動局４０ａは、制御情報を基地局３０ａに送信するか否かをランダムに決定してもよい。
【００４８】
移動局４０ａが制御情報を基地局３０ａに送信すると判断すると、ステップ１３に移行し、移動局４０ａが制御情報を基地局３０ａに送信しないと判断すると、移動局４０ａにより送信される同一情報の受信を待つ状態となる。
【００４９】
ステップ１３において、移動局４０ａは、ステップ１２における判断結果に基づき、ステップ１１ｂで受信した同一情報の受信品質を算出する。
【００５０】
ステップ１４において、移動局４０ａは、ステップ１３で算出された受信品質に基づき制御情報を生成する。
【００５１】
ステップ１５ａにおいて、移動局４０ａは、ステップ１４で生成された制御情報を基地局３０ａに送信し、ステップ１５ｂにおいて、基地局３０ａは、移動局４０ａから制御情報を受信する。
【００５２】
ステップ１６において、基地局３０ａは、ステップ１５ｂで受信した制御情報に基づき、下り送信電力を制御する。
【００５３】
（本実施形態における移動通信システムの効果）
本実施形態における移動通信システムによれば、移動局４０ａが、所定の頻度でしか制御情報を基地局３０ａに送信しないため、制御情報が毎回送信される場合に比べ、移動局４０ａから基地局３０ａに送信される制御情報を削減でき、上り無線リソースのトラフィックを軽減でき、移動通信システム全体への干渉量を抑えることができる。
【００５４】
（第１変更例）
まず、第１変更例における移動通信システムに用いて好適な基地局及び移動局の構成について、図面を参照しながら説明する。なお、以下においては、上述の本実施形態との相違点のみを説明する。
【００５５】
図４は、第１変更例における基地局及び移動局の構成を示すブロック図である。図４に示すように、基地局３０ａは、送受信部３１と、送信電力制御部３２と、しきい値設定部３３とを具備し、移動局４０ａは、送受信部４１と、判断部４２と、受信品質算出部４３と、制御情報生成部４４とを具備する。
【００５６】
基地局３０ａに具備されているしきい値設定部３３は、受信品質のしきい値を設定するしきい値設定手段である。
【００５７】
基地局３０ａに具備されている送受信部３１は、しきい値設定部３３により設定された受信品質のしきい値と同一情報とを移動局４０ａに送信する送信手段である。
【００５８】
移動局に具備されている判断部４２は、受信品質算出部４３により算出された受信品質と基地局３０ａにより送信された受信品質のしきい値とを比較し、制御情報を基地局３０ａに送信するか否か判断する判断手段である。
【００５９】
具体的には、本実施形態における受信品質が受信電力であって、受信電力のしきい値が１０ｄＢｍ以下に設定されている場合について説明する。判断部４２は、受信品質算出部４３により算出された同一情報の受信電力が５ｄＢｍ（１０ｄＢｍ以下）である場合には、制御情報を基地局３０ａに送信すると判断し、受信品質算出部４３により算出された同一情報の受信電力が１５ｄＢｍ（１０ｄＢｍより大きい）場合には、制御情報を基地局３０ａに送信しないと判断する。
【００６０】
次に、第１変更例における移動通信システムに用いて好適な基地局及び移動局の動作について、図面を参照しながら説明する。図５は、第１変更例における移動通信システムの動作を示す図である。
【００６１】
図５に示すように、ステップ２１において、基地局３０ａは、受信品質のしきい値を設定する。
【００６２】
ステップ２２ａにおいて、基地局３０ａは、ステップ２１で設定された受信品質のしきい値と同一情報とを移動局４０ａに送信し、移動局４０ａは、受信品質のしきい値と同一情報とを基地局３０ａから受信する。
【００６３】
ステップ２３において、移動局４０ａは、ステップ２２ｂで受信された同一情報の受信品質を算出する。
【００６４】
ステップ２４において、移動局４０ａは、ステップ２２ｂで受信された受信品質のしきい値とステップ２３で算出された同一情報の受信品質とを比較し、制御情報を基地局３０ａに送信するか否か判断する。
【００６５】
具体的には、本実施形態における受信品質が受信電力であって、受信電力のしきい値が１０ｄＢｍ以下に設定されている場合について説明する。移動局４０ａは、ステップ２３で算出された同一情報の受信電力が５ｄＢｍ（１０ｄＢｍ以下）である場合には、制御情報を基地局３０ａに送信すると判断し、ステップ２３で算出された同一情報の受信電力が１５ｄＢｍ（１０ｄＢｍより大きい）場合には、制御情報を基地局３０ａに送信しないと判断する。
【００６６】
移動局４０ａが制御情報を基地局３０ａに送信すると判断すると、ステップ２５に移行し、移動局４０ａが制御情報を基地局３０ａに送信しないと判断すると、移動局４０ａにより送信される同一情報及び受信品質のしきい値の受信を待つ状態となる。
【００６７】
ステップ２５において、移動局４０ａは、ステップ２３で算出された同一情報の受信品質に基づき、制御情報を生成する。
【００６８】
ステップ２６ａにおいて、移動局４０ａは、ステップ２５で生成された制御情報を基地局３０ａに送信し、ステップ２６ｂにおいて、基地局３０ａは、制御情報を移動局４０ａから受信する。
【００６９】
ステップ２７において、基地局３０ａは、ステップ２６ｂで受信した制御情報に基づき、下り送信電力を制御する。
【００７０】
第１変更例における移動通信システムによれば、移動局４０ａにより算出された同一情報の受信品質が受信品質のしきい値を超えた場合には、制御情報が基地局３０ａに送信されないため、移動局４０ａから基地局３０ａに送信される制御情報を削減でき、上り無線リソースのトラフィックを軽減でき、移動通信システム全体への干渉量を抑えることができる。
【００７１】
（第２変更例）
まず、第２変更例における移動通信システムに用いて好適な基地局及び移動局の構成について、図面を参照しながら説明する。図６は、第２変更例における基地局及び移動局の構成を示すブロック図である。なお、以下においては、本実施形態及び第１変更例との相違点のみを説明する。
【００７２】
図６に示すように、基地局３０ａは、送受信部３１と、送信電力制御部３２と、移動局選択部３４とを具備し、移動局４０ａは、送受信部４１と、受信品質算出部４３と、制御情報生成部４４とを具備する。
【００７３】
移動局選択部３４は、基地局３０ａの配下に位置する移動局（４０ａ乃至４０ｃ）の中から、どの移動局に制御情報の送信要求を送信するか選択する選択手段である。ここで、移動局選択部３４は、特定の移動局又はランダムに移動局を選択する。
【００７４】
なお、以下において、移動局選択部３４は、移動局４０ａを選択したものとする。
【００７５】
送受信部３１は、移動局選択部３４により選択された移動局４０ａに制御情報の送信要求を送信する送信要求送信手段である。
【００７６】
次に、第２変更例における移動通信システムに用いて好適な基地局及び移動局の動作について、図７を参照しながら説明する。図７は、本実施形態における移動通信システムの動作を示す図である。
【００７７】
図７に示すように、ステップ３１において、基地局３０ａは、どの移動局に制御情報の送信要求を送信するか決定する。
【００７８】
ステップ３２ａにおいて、基地局３０ａは、制御情報の送信要求を移動局４０ａに送信し、ステップ３２ｂにおいて、移動局４０ａは、制御情報の送信要求を基地局３０ａから受信する。
【００７９】
ステップ３３において、移動局４０ａは、ステップ３２ｂで受信された制御情報の送信要求の受信品質を算出する。
【００８０】
ステップ３４において、移動局４０ａは、ステップ３３で算出された受信品質に基づき、制御情報を生成する。
【００８１】
ステップ３５ａにおいて、移動局４０ａは、ステップ３４で生成された制御情報を基地局３０ａに送信し、ステップ３５ｂにおいて、基地局３０ａは、制御情報を移動局４０ａから受信する。
【００８２】
ステップ３６において、基地局３０ａは、ステップ３５ｂで受信された制御情報に基づき、下り送信電力を制御する。
【００８３】
第２変更例における移動通信システムによれば、基地局３０ａにより選択された特定の移動局、又は、基地局３０ａによりランダムに選択された移動局のみが制御情報を基地局３０ａに送信するため、移動局から基地局３０ａに送信される制御情報を削減でき、上り無線リソースのトラフィックを軽減でき、移動通信システム全体への干渉量を抑えることができる。
【図面の簡単な説明】
【００８４】
【図１】本発明の実施形態に係る移動通信システムの全体構成を示す図である。
【図２】本発明の実施形態に係る移動通信システムに用いて好適な基地局及び移動局の構成を示すブロック図である。
【図３】本発明の実施形態に係る移動通信システムに用いて好適な基地局及び移動局の動作を示す図である。
【図４】本発明の第１変更例に係る移動通信システムに用いて好適な基地局及び移動局の構成を示すブロック図である。
【図５】本発明の第1変更例に係る移動通信システムに用いて好適な基地局及び移動局の動作を示す図である。
【図６】本発明の第２変更例に係る移動通信システムに用いて好適な基地局及び移動局の構成を示すブロック図である。
【図７】本発明の第２変更例に係る移動通信システムに用いて好適な基地局及び移動局の動作を示す図である。
【図８】従来技術に係るブロードキャスト通信を説明するための図である。
【図９】従来技術に係るマルチキャスト通信を説明するための図である。
【符号の説明】
【００８５】
１０１〜１１２・・・移動局、１１〜１７・・・基地局、２０・・・無線制御装置、３０ａ〜３０ｄ・・・基地局、３１・・・送受信部、３２・・・送信電力制御部、３３・・・しきい値設定部、３４・・・移動局選択部、４０ａ〜４０ｊ・・・移動局、４１・・・送受信部、４２・・・判断部、４３・・・受信品質算出部、４４・・・制御情報生成部
【図１】
2007300681.tif 000003
【図２】
2007300681.tif 000004
【図３】
2007300681.tif 000005
【図４】
2007300681.tif 000006
【図５】
2007300681.tif 000007
【図６】
2007300681.tif 000008
【図７】
2007300681.tif 000009
【図８】
2007300681.tif 000010
【図９】
2007300681.tif 000011